(57)【特許請求の範囲】
【請求項１】
合成樹脂発泡層上面にエアバックドア部を画定する破断予定部が形成された表皮を一体に有する車室側部材において、
前記表皮の裏面側には前記破断予定部に沿って薄肉部が形成されているとともに、該薄肉部と前記合成樹脂発泡層の間に合成樹脂成形体が密接配置されていることを特徴とするエアバッグドア部を有する車室側部材の構造。
【請求項２】
請求項１において、前記合成樹脂成形体が表皮裏面側が底辺となる断面三角形状であるエアバッグドア部を有する車室側部材の構造。
【請求項３】
表皮用樹脂材料による表皮のパウダースラッシュ成形時の前記表皮用樹脂材料が未だ溶融状態にある間に、表皮破断予定部に沿って合成樹脂成形体を圧入して前記合成樹脂成形体が埋入されかつ該埋入部分が薄肉部として形成された表皮を得る工程と、
前記合成樹脂成形体が薄肉部に一体に配置された表皮裏面側に合成樹脂発泡材料を注入し合成樹脂発泡層を形成して、前記合成樹脂成形体が前記表皮と合成樹脂発泡層との間に埋設されかつ上面にエアバックドア部を画定する破断予定部を備えた表皮を有する車室側部材を得る工程
とを含むことを特徴とするエアバッグドア部を有する車室側部材の製法。
【発明の詳細な説明】
【０００１】
【産業上の利用分野】
この発明は、自動車のエアバッグ装置に関連し、特にはそのエアバッグドア部を有する車室側部材の構造および製法に関する。
【０００２】
【従来の技術】
例えば自動車の助手席側に設けられるエアバッグ装置は、添付の図面の図１３に示すように、折り畳まれたエアバッグＡがキャニスタと呼ばれる収容部材（容器）Ｃ内に作動装置Ｉとともに収容されて助手席前面の車室側部材Ｐであるインストルメントパネル内に格納されている。エアバッグ収容部材Ｃの上部はエアバッグＡが車室内に展開するための開口部Ｏとして構成されていて、この展開開口部Ｏは平時はエアバッグドア部Ｄによって覆われており、一旦自動車が大きな衝撃を受けた有事の際には、前記作動装置Ｉが作動し、膨張したエアバッグＡが当該エアバッグドア部Ｄを内部から押し開いて車室内に展開するように構成されている。
【０００３】
このエアバッグの展開開口部Ｏを覆うエアバッグドア部の構造としては、エアバッグドア部材を別成形してこれを車室側部材の該当空所に取り付けるタイプのものと、車室側部材と一体にエアバッグドア部を形成するタイプのものがあるが、この発明は後者の構造に関する。
【０００４】
すなわち、図１３ないし図１４は車室側部材Ｐに一体にエアバッグドア部Ｄを形成した従来例を示すものであるが、この車室側部材（インストルメントパネル）Ｐは合成樹脂発泡層１０１上面に表皮１０２を一体に有し、該表皮１０２のエアバッグ展開開口部Ｏに対応する所定位置にはエアバックドア部Ｄを画定する薄肉の破断予定部１０５が形成されている。
この表皮１０２の薄肉の破断予定部１０５は、表皮１０２の成形後に高周波ウェルダーや熱刃またはコールドプレスカッター等によって切込みやＶ溝を入れることにより形成される。
図中符号１０６は車室側部材Ｐの裏面に設けられた芯材、１０７はエアバッグドア部Ｄの裏面に設けられたエアバッグドア用芯材、１０９はエアバッグ収容部材Ｃと芯材１０６（およびエアバッグドア用芯材１０７）とを固定する取付部材、Ｔは車室側部材Ｐの破断予定部である。
【０００５】
この構造にあっては、前記したように、エアバッグＡが作動膨張すると、エアバッグ展開開口部Ｏ上部の車室側部材Ｐにおけるエアバッグドア部Ｄが裏面側から押され、エアバッグドア用芯材１０７を押し上げ、その押上力によって表皮１０２の薄肉の破断予定部１０５に応力が集中して破断し、車室側部材Ｐがその開裂（予定）部Ｔから開裂し、図１５のように、エアバッグドア部Ｄが開く。図１５の符号１０５ａ，１０５ｂは分断された表皮１０２の破断予定部で、Ｔａ，Ｔｂは同じく分断された車室側部材Ｐがその開裂（予定）部を表わす。エアバッグドア部Ｄの開放に伴ってエアバッグＡは車室内に展開する。
【０００６】
しかるに、前記車室側部材Ｐの表皮１０２におけるエアバッグドア部Ｄを画定する薄肉の破断予定部１０５は、該破断予定部１０５がエアバッグ膨張時に確実に破断できるよう概ね０．３ｍｍ以下の厚みに形成される。
しかしながら、一般に自動車のインストルメントパネルのような車室側部材Ｐは、車室内に照射される太陽光線や車室内の高熱にさらされ、時間の経過とともにその表皮１０２が劣化、収縮することが知られている。そして、この車室側部材Ｐの表皮１０２に０．３ｍｍ以下の薄肉の破断予定部１０５が形成された場合には、前記した表皮１０２の劣化、収縮の影響が強度の低い当該薄肉の破断予定部１０５において最も大きくなり、その結果として、該破断予定部１０５に亀裂が生じたり、内側の合成樹脂発泡体層１０１が露出するなどの外観不良を生じ易いという問題が指摘されている。
【０００７】
この問題に対し、当該破断予定部１０５における表皮１０２の厚みを、劣化による亀裂を生じ難くなるまで大きくすると、今度はエアバッグＡの膨張時に該破断予定部１０５がスムーズに破断しなくなる恐れがある。
【０００８】
また、前記表皮１０２の劣化は、該表皮１０２を構成する塩化ビニル樹脂等に含まれる可塑剤が表皮１０２と接する合成樹脂発泡層１０１中に移行することにより、あるいは合成樹脂発泡層１０１中に架橋剤あるいは触媒等として含まれるアミンが表皮１０２に移行することによって促進され、これも強度の弱い薄肉の破断予定部１０５に亀裂を生じさせる原因ともなると考えられている。
【０００９】
【発明が解決しようとする課題】
この発明は、上のような車室側部材の表皮に薄肉の破断予定部を形成した場合において、該破断予定部が表皮の劣化、収縮により亀裂等の外観不良を生ずることなく、しかもエアバッグの膨張時には確実に破断されることができる、新規な車室側部材のエアバッグドア部の構造を提供しようとするものである。
【００１０】
【課題を解決するための手段】
すなわち、この発明は、合成樹脂発泡層上面にエアバックドア部を画定する破断予定部が形成された表皮を一体に有する車室側部材において、前記表皮の裏面側には前記破断予定部に沿って薄肉部が形成されているとともに、該薄肉部と前記合成樹脂発泡層との間に合成樹脂成形体が密接配置されていることを特徴とするエアバッグドア部を有する車室側部材の構造を提案するものである。
【００１１】
また、前記構造を実現する方法として、表皮用樹脂材料による表皮のパウダースラッシュ成形時の前記表皮用樹脂材料が未だ溶融状態にある間に、表皮破断予定部に沿って合成樹脂成形体を圧入して前記合成樹脂成形体が埋入されかつ該埋入部分が薄肉部として形成された表皮を得る工程と、前記合成樹脂成形体が薄肉部に一体に配置された表皮裏面側に合成樹脂発泡材料を注入し合成樹脂発泡層を形成して、前記合成樹脂成形体が前記表皮と合成樹脂発泡層との間に埋設されかつ上面にエアバックドア部を画定する破断予定部を備えた表皮を有する車室側部材を得る工程とを含むことを特徴とするエアバッグドア部を有する車室側部材の製法を提案するものである。
【００１２】
【実施例】
以下添付の図面に従ってこの発明を詳細に説明する。
図１はこの発明構造の一実施例を示す自動車のインストルメントパネルの概略斜視図、図２はそのエアバッグ装置が取り付けられた部分の断面図、図３は図２の矢印３部の拡大断面図、図４は合成樹脂成形体の実施例を示す部分斜視図、図５はこの発明構造のエアバッグドア部が開口した状態を示す断面図である。
【００１３】
また、図６ないし図１２はこの発明のエアバッグドア部を有する車室側部材の製法に関し、図６は表皮の成形に用いられるパウダースラッシュ成形型を示す断面図、図７は図６のパウダースラッシュ成形型による表皮成形状態を示す断面図、図８はパウダースラッシュ成形型内の表皮用樹脂材料に合成樹脂成形体を圧入する状態を示す断面図、図９はその圧入状態の拡大断面図、図１０は表皮に合成樹脂成形体を埋入した状態の拡大断面図、図１１は合成樹脂成形体を埋入した表皮の裏面側に合成樹脂発泡材料を注入する状態を示す断面図、図１２はその発泡成形状態を示す断面図である。
【００１４】
図１ないし図３に示したように、この発明は、インストルメントパネルのような車室側部材２０に係り、特に、合成樹脂発泡層２１上面にエアバッグドア部Ｄを画定する破断予定部２５が形成された表皮２２を一体に有するものに係る。
なお、図示したエアバッグ装置は先の従来技術の項で説明したものと同様の構造を有し、符号Ａはエアバッグ、Ｉはエアバッグの作動装置、Ｃはエアバッグ収容部材、Ｏはエアバッグの展開開口部、Ｔは車室側部材の開裂（予定）部、３０は車室側部材の芯材、３１はエアバッグ展開開口部上方に配置されたエアバッグドア用芯材、３２、３３は車室側部材にエアバッグ収容部材Ｃを固定する取付部材である。
【００１５】
この発明構造は、図３の拡大断面図からよく理解されるように、前記車室側部材２０の表皮２２の裏面側に、破断予定部２５に沿って薄肉部２３が形成されているとともに、該薄肉部２３と合成樹脂発泡層２１との間に合成樹脂成形体４０が密接配置されていることを特徴とするものである。
【００１６】
すなわち、車室側部材２０は所定のインストルメントパネル形状に成形されたもので、発泡ポリウレタン等からなる合成樹脂発泡層２１の上面が表皮２２によって覆われている。この表皮２２は例えば公知のパウダースラッシュ成形によって成形され、その材質としては一般的に軟質ＰＶＣまたは熱可塑性ポリウレタン樹脂（ＴＰＵ）等が使用される。
【００１７】
表皮２２の裏面側には、その破断予定部２５に沿って表皮一般部よりも脆弱な薄肉部２３が形成されている。この薄肉部２３は、前記したように、エアバッグＡの膨張によってエアバッグドア部Ｄが内側から押圧された際に、その破断予定部２５を容易にかつ確実に破断させるためのものである。
この薄肉部２３の厚みは、例えば、表皮２２の一般部の厚みが１〜２ｍｍ程度の場合、０．１ｍｍ〜０．３ｍｍとされる。
【００１８】
そして、この薄肉部２３と合成樹脂発泡層２１との間には合成樹脂成形体４０が密接配置されている。
この合成樹脂成形体４０はＰＶＣの射出成形品等からなり、薄肉部２３形状に形成されたもので、例えば図１に示すような概略Ｕ字形状の破断予定部２５（つまり薄肉部２３）を有する場合には、これと同様な概略Ｕ字形状となる。
また、合成樹脂成形体４０の断面形状としては、当然薄肉部２３の断面形状にならうことになるのであるが、例えば図３の例のように、表皮２２の裏面側が底辺となる三角形状のものが挙げられる。このほかの例としては、図４に例示したような、断面半円形（かまぼこ形）の成形体４１、断面方形の成形体４２等がある。
【００１９】
なお、合成樹脂成形体を表皮と同じ材質の発泡樹脂によって構成した場合、例えば軟質ＰＶＣ表皮とＰＶＣ発泡層の合成樹脂成形体によって形成した場合には、表皮としての耐熱性能をさげることなく、表皮の破断荷重を下げてドアの破断を容易にする効果がある。
【００２０】
さらに、薄肉部の形態によっては、図４の符号４３で示すような、表皮表面側に凹凸部４４を有する成形体を用いてもよい。このような成形体４３が薄肉部に密接配置された表皮は、後述するスラッシュ成形によって得ることができるが、このような構成にあっては、薄肉部がミシン目状となり、表皮の破断性能を妨げることなくさらにその耐熱性能を向上させることが可能である。
【００２１】
このような構造を有するこの発明の車室側部材２０にあっては、エアバッグＡが作動しない平時には、図３のように、薄肉部２３と合成樹脂発泡層２１との間に合成樹脂成形体４０が密接配置されているので、表皮２２の劣化時に該表皮が収縮しても薄肉部２３への応力集中を防ぐことができる。これによって、当該薄肉部２３に亀裂が生じたりすることが回避され、外観品質を保持することができる。
【００２２】
また、エアバッグＡの作動時には、図５に示すように、該エアバッグＡの膨張によるエアバッグドア芯材３１に加わる押上力が表皮２２の薄肉部２３に応力が集中して、合成樹脂成形体４０が配置された表皮２２の薄肉部２３から破断しつつ車室側部材２０がその開裂予定部Ｔから開裂し、ドア部Ｄが押し広げられる。
【００２３】
次に、この構造の車室側部材の製法について、図６以下の図とともに説明する。
ここに提案されるエアバッグドア部を有する車室側部材の製法は、合成樹脂成形体を薄肉部に一体に配置した表皮を得る工程と、前記表皮裏面側に合成樹脂発泡層を一体に形成する工程とを含む。
【００２４】
まず、表皮の形成工程について説明すると、図６および図７に示すように、公知のパウダースラッシュ成形型５０によって表皮の成形がなされる。
図６に図示のように、パウダースラッシュ成形型５０のバケット５１のパウダー収容部５２に軟質ＰＶＣパウダー等の熱可塑性合成樹脂パウダーからなる表皮用樹脂材料６０を収容する。
【００２５】
そして、熱媒循環パイプ５３，５３，…に加熱オイル等の熱媒を供給して成形型５０を加熱しながら、バケット５１と成形型５０とを矢印ａのように所定回数回転させる。その回転によって、図７に示すように、バケット５１内の表皮用樹脂材料６０が成形型５０の型面５４に接触して、該表皮用樹脂材料６０が型面５４の熱によって溶融し、該型面５４に所定厚みで層状に付着して所定形状の表皮層６１が形成される。
【００２６】
この表皮成形時において、前記表皮用樹脂材料６０が未だ溶融状態（例えば材料温度が１９０ないし２１０℃）の表皮層６１である間に、図８に図示したように、表皮破断予定部に沿って合成樹脂成形体７０が圧入される。この圧入に際しては、図のような成形体保持装置７５およびその昇降装置（図示せず）が用いられる。
合成樹脂成形体の構成については既に述べたとおりである。
【００２７】
このような合成樹脂成形体７０を未だ溶融状態の表皮層６１に圧入することによって、図９および図１０に示したように、当該合成樹脂成形体７０が埋入されかつ該埋入部分が薄肉部６５として形成された表皮６２が得られる。
なお、薄肉部６５の厚みは当該合成樹脂成形体７０の埋入深さによって適宜決定される。
【００２８】
次いで、上のようにして得られた合成樹脂成形体７０が薄肉部６５に一体に配置された表皮６２の裏面側に合成樹脂発泡層が一体に形成される。
すなわち、図１１のように、発泡成形型８０の下型８１の型面８３に、表皮６２の裏面が内側になるように配置する。一方、発泡成形型８０の上型８２の型面８４には、車室側部材用芯材８５およびエアバッグドア部用芯材８６を適宜手段で保持して配置する。
【００２９】
そして、前記下型８１の表皮６２の裏面側に、注入機９０よりポリウレタン原料等の合成樹脂発泡原料９１を所定量注入した後、上型８２を閉じて発泡成形を行う。
合成樹脂発泡原料９１は発泡硬化して合成樹脂発泡層９２を形成して、合成樹脂成形体７０が表皮６２と合成樹脂発泡層９２との間に埋設されかつ上面（型内では下側）にエアバックドア部Ｄを画定する破断予定部を備えた表皮を有する車室側部材９５が得られる。
【００３０】
このように、上の製法によれば、合成樹脂成形体を薄肉部に一体に配置した表皮裏面側に合成樹脂発泡層を一体に有する車室側部材を簡単かつ容易にしかも確実に得ることができる。
【００３１】
【発明の効果】
以上図示し説明したように、この発明構造によれば、車室側部材の表皮に薄肉の破断予定部を形成した場合において、該破断予定部である薄肉部と合成樹脂発泡層との間に合成樹脂成形体が密接配置されているものであるから、表皮の劣化時に表皮が収縮しても薄肉部への応力集中を防ぐことができ、これによって、当該薄肉部に亀裂が生じたりすることが回避される。
また、合成樹脂成形体の配置によって、表皮薄肉部と発泡体層が直接接しないため、表皮の可塑剤および合成樹脂発泡層の架橋剤等による不具合も回避することができる。
さらに、この発明構造によれば、上のような表皮の外観不良を招く原因を除去するばかりでなく、エアバッグの膨張時には確実に破断されることができる。
【００３２】
また、ここに開示された発明製法によれば、上の構造を有する車室側部材を簡単かつ容易にしかも確実に得ることができる。
【図面の簡単な説明】
【図１】この発明構造の一実施例を示す自動車のインストルメントパネルの概略斜視図である。
【図２】そのエアバッグ装置が取り付けられた部分の断面図である。
【図３】図２の矢印３部の拡大断面図である。
【図４】合成樹脂成形体の実施例を示す部分斜視図である。
【図５】この発明構造のエアバッグドア部が開口した状態を示す断面図である。
【図６】表皮の成形に用いられるパウダースラッシュ成形型を示す断面図である。
【図７】図６のパウダースラッシュ成形型による表皮成形状態を示す断面図である。
【図８】パウダースラッシュ成形型内の表皮用樹脂材料に合成樹脂成形体を圧入する状態を示す断面図である。
【図９】その圧入状態の拡大断面図である。
【図１０】表皮に合成樹脂成形体を埋入した状態の拡大断面図である。
【図１１】合成樹脂成形体を埋入した表皮の裏面側に合成樹脂発泡材料を注入する状態を示す断面図である。
【図１２】その発泡成形状態を示す断面図である。
【図１３】従来のエアバッグドア部を有する車室側部材の要部の断面図である。
【図１４】図１３の符号１３部分の拡大断面図である。
【図１５】従来のエアバッグドア部の展開状態を示す要部の断面図である。
【符号の説明】
２１    合成樹脂発泡層
２２    表皮
２５    破断予定部
４０    合成樹脂成形体
Ｄ    エアバッグドア部
【図１】
0003544027.tif 000002
【図２】
0003544027.tif 000003
【図３】
0003544027.tif 000004
【図５】
0003544027.tif 000005
【図４】
0003544027.tif 000006
【図６】
0003544027.tif 000007
【図７】
0003544027.tif 000008
【図８】
0003544027.tif 000009
【図９】
0003544027.tif 000010
【図１０】
0003544027.tif 000011
【図１１】
0003544027.tif 000012
【図１２】
0003544027.tif 000013
【図１３】
0003544027.tif 000014
【図１５】
0003544027.tif 000015
【図１４】
0003544027.tif 000016